(57)【特許請求の範囲】
【請求項１】
パケット交換のネットワークスイッチング回路、ならびに少なくとも１個のコネクティングポートを有し、前記コネクティングポートにＲＪ−４５コネクターが接続され、対応するネットワーク通信装置のコネクティングポートと接続されるネットワークスイッチング装置本体と、
前記ネットワークスイッチング装置本体に設けられ、前記ＲＪ−４５コネクターのコネクティングポートとプラグインし、前記ＲＪ−４５コネクター、ならびに前記ＲＪ−４５コネクターに設けられているダブルツイストワイヤにより対応する前記ネットワーク通信装置のコネクティングポートと接続され、所定の周波数の信号を生じ、ＩＥＥＥ８０２．３ａｆ標準の規定により前記コネクティングポートに対応するピンを介し前記所定の周波数の信号を前記ネットワーク通信装置に送信し、前記ネットワーク通信装置より伝送される信号を受信し、電源を前記ピン及び前記ダブルツイストワイヤを通して前記ネットワーク通信装置に供給する電源コントロール回路と、を備え、
前記電源コントロール回路は、少なくとも１個のマイクロプロセッサと、前記マイクロプロセッサと接続される発振回路とを有し、前記発振回路に前記所定の周波数の信号が生じると、前記コネクティングポートならびに前記ＲＪ−４５コネクターと対応する前記ピンにより前記所定の周波数の信号を前記コネクティングポートと接続されている前記ネットワーク通信装置に伝送し、
前記電源コントロール回路は、前記マイクロプロセッサおよび複数のＲＳ−２３２駆動インターフェースと接続されるバスドライブ回路と、前記ＲＳ−２３２駆動インターフェースおよび前記コネクティングポートと接続されるアナログスイッチ回路とを有し、前記発振回路で生じる前記所定の周波数の信号を前記マイクロプロセッサ、前記バスドライブ回路、前記ＲＳ−２３２駆動インターフェースおよび前記アナログスイッチ回路を順に経由させ前記コネクティングポートならびに前記ＲＪ−４５コネクターと対応する前記ピンにより前記コネクティングポートと接続されている前記ネットワーク通信装置に伝送し、前記マイクロプロセッサが前記ネットワーク通信装置より送信される信号を受信し前記アナログスイッチ回路を切り替え、前記電源を前記ＲＪ−４５コネクターおよび前記ダブルツイストワイヤにより前記ネットワーク通信装置に供給することを特徴とするネットワークスイッチング装置。
【請求項２】
前記アナログスイッチ回路に複数のアナログスイッチが設けられ、前記アナログスイッチが前記アナログスイッチに対応する前記ＲＳ−２３２駆動インターフェースを前記コネクティングポートと接続させ、前記マイクロプロセッサが前記アナログスイッチをコントロールし、前記アナログスイッチの接続状態を切り替え、前記電源を前記ネットワーク通信装置に供給することを特徴とする請求項１記載のネットワークスイッチング装置。
【請求項３】
前記ネットワーク通信装置のコネクティングポートに受動素子が接続され、前記受動素子が前記電源コントロール回路より送信される信号を受信すると、スタート信号が生じ、前記スタート信号は前記ダブルツイストワイヤ及び前記ＲＪ−４５コネクターを順に介し前記電源コントロール回路に送信され、前記マイクロプロセッサが前記スタート信号により前記アナログスイッチ回路のスイッチを駆動し、前記電源がオンされ前記ネットワーク通信装置に供給されることを特徴とする請求項１記載のネットワークスイッチング装置。
【請求項４】
前記ネットワークスイッチング装置本体のコネクティングポートにはＩＥＥＥ８０２．３ａｆ標準の規定により前記ＲＪ−４５コネクターと対応するピン４、ピン５、ピン７およびピン８が給電の探知ならびに給電用のピンとして使用され、ピン１、ピン２、ピン３およびピン６がデータ信号の送信時のピンとして使用されることを特徴とする請求項１記載のネットワークスイッチング装置。
【請求項５】
前記所定の周波数の信号は、前記コネクティングポートにより前記ＲＪ−４５コネクターと対応する前記ピン４を介し前記コネクティングポートと接続されている前記ネットワーク通信装置に伝送されることを特徴とする請求項４記載のネットワークスイッチング装置。
【請求項６】
受動素子が前記所定の周波数の信号を受信すると、回路により前記所定の周波数の信号を前記コネクティングポートが前記ＲＪ−４５コネクターと対応する前記ピン５を介し前記ネットワーク通信装置に伝送することを特徴とする請求項４記載のネットワークスイッチング装置。
【請求項７】
アナログスイッチとしてリレーが使用され、前記リレーの共用接点は前記コネクティングポートの前記ピン４、前記ピン７、前記ピン５および前記ピン８と接続されていることを特徴とする請求項４記載のネットワークスイッチング装置。
【請求項８】
前記リレーは、２個以上の常時オフの接点ＮＣを有し、前記接点ＮＣは前記ＲＳ２３２の駆動インターフェース及び前記バスドライブ回路を介し前記マイクロプロセッサと接続され、前記発振回路で生じる信号を受信し、前記発振回路で生じる信号を前記コネクティングポートと接続されている前記ネットワーク通信装置に伝送し、または前記ネットワーク通信装置の受動素子から伝送される信号を受信することを特徴とする請求項７記載のネットワークスイッチング装置。
【請求項９】
前記リレーは、常時オンの接点ＮＯが前記ネットワークスイッチング装置本体の電源端子と接続され、前記ネットワークスイッチング装置本体が前記ネットワーク通信装置より伝送される信号を受信すると、前記マイクロプロセッサが前記リレーを駆動し、前記接点ＮＯは共用接点と接続され、前記ネットワークスイッチング装置本体の電源は接続されている前記ネットワーク通信装置に供給されることを特徴とする請求項７記載のネットワークスイッチング装置。
【請求項１０】
前記ネットワーク通信装置は、前記コネクティングポートと対応する前記ＲＪ−４５コネクターの前記ピン４および前記ピン７又は前記ピン５または前記ピン８にリレーが設けられ、前記リレーの共用接点は前記コネクティングポートのピン４およびピン５と接続されていることを特徴とする請求項４記載のネットワークスイッチング装置。
【請求項１１】
前記リレーは常時オフの接点が受動素子の両端に接続され、前記ネットワーク通信装置で生じる前記所定の周波数の信号を受信し、前記受動素子より生じる信号は前記ネットワーク通信装置に伝送されることを特徴とする請求項１０記載のネットワークスイッチング装置。
【請求項１２】
前記リレーは、常時オンの接点が前記コネクティングポートの前記ピン７および前記ピン８に接続され、前記ピン７および前記ピン８より電源が供給されることを特徴とする請求項１０記載のネットワークスイッチング装置。
【発明の詳細な説明】
【０００１】
【発明の属する技術分野】
本発明は、ネットワークスイッチング装置に関する。
【０００２】
【従来の技術】
数十年前より、科学に関連する技術産業が急速に発展している。人間の生活及び仕事のステップではマーケットの競争が激しく、交通施設が便利であるため、商工業発展の区域が徐々に拡大している。人間は毎日の忙しい生活でコミュニケーションの効率を向上し、仕事及び生活の品質を改善するため、電話等の通信設備に対する依存度が徐々に増加している。現在、電話等の通信設備は人間の日常生活の中で不可欠のコミュニケーションの道具である。また、緊急事態が発生したとき、通信設備は人間の命を守る道具となる。このため、様々な状況の下で常に通信設備の通信を可能にすることに一般の使用者または通信サービス業界は注目している。
【０００３】
最近、新しく開発されたネットワーク通信装置（例えば、ＶＯＩＰ：Voice Over  IP Device又はモデム）は、通常、長距離電話又は国際電話を使用する顧客に安いチャージで提供される。前述のネットワーク通信装置の使用による通信は公衆交換式の電話ネット（ＰＳＴＮ）の使用による通信より大幅に通信費を節約できる。業者は需要に対し様々な調査及び研究を行っている。調査結果によると、７０％の従来の公衆交換式電話ネットの使用顧客が、通信費用を減少するために、新規のネットワーク通信装置の使用に関心を持っている。
【０００４】
図１に示すように、現在市販されているネットワーク通信装置１１（例えばＶＯＩＰ又はモデム）には整流器１２の一端が接続されている。整流器１２の他端に接続されているプラグ１３は電源ソケットにプラグインされ、ネットワーク通信装置１１が正常に運転されるための電源が提供される。ネットワーク通信装置１１は１個以上の受話器１０と接続されている。受話器１０の音声信号はデジタル信号に転換され、パケット処理が行われ、ＩＰパケットの状態が形成され、外部に送信される。また、パケットはネットワークスイッチング装置１４を経由しインターネットのサーボー１５に送信され、サーボー１５によりオンラインで遠隔地の同じ設備の受話器と通話が行われる。
【０００５】
従来のネットワーク通信装置１１は、電源と接続されないとき、正常に運転されなない。停電すると、従来のネットワーク通信装置１１の通信は中断され、オンライン通話が不可能になる。このため、従来のネットワーク通信装置１１は不便であり、緊急のときは状況の悪化を招く。
【０００６】
【発明が解決しようとする課題】
上述の従来のネットワーク通信装置は停電のときオンラインの通話ができず、通信が中断されるため、様々な問題を生じる。
そこで、本発明の目的は、停電のとき、ネットワーク通信装置が通信できるネットワークスイッチング装置を提供することにある。
【０００７】
【課題を解決するための手段】
本発明の請求項記載のネットワークスイッチング装置によると、ネットワークスイッチング装置本体および電源コントロール回路を備える。ネットワークスイッチング装置本体は、パケット交換のネットワークスイッチング回路、ならびに少なくとも１個のコネクティングポートを有し、コネクティングポートにＲＪ−４５コネクターが接続され、対応するネットワーク通信装置のコネクティングポートと接続される。電源コントロール回路は、ネットワークスイッチング装置本体に設けられ、ＲＪ−４５コネクターのコネクティングポートとプラグインし、ＲＪ−４５コネクター、ならびにＲＪ−４５コネクターに設けられているダブルツイストワイヤにより対応するネットワーク通信装置のコネクティングポートと接続され、所定の周波数の信号を生じ、ＩＥＥＥ８０２．３ａｆ標準の規定によりコネクティングポートに対応するピンを介し所定の周波数の信号をネットワーク通信装置に送信し、ネットワーク通信装置より伝送される信号を受信し、電源をピン及びダブルツイストワイヤを通してネットワーク通信装置に供給する。したがって、停電のとき、ネットワーク通信装置は通話できる。
【０００８】
【発明の実施の形態】
以下、本発明の実施の形態を図面に基づいて説明する。
一般のネットワーク通信装置は、１個以上の受話器と接続されている。受話器からの音声信号はデジタル信号に変換され、パケット処理が行われる。ＩＰパケットの型でインターネット（Internet）を利用し、オンラインで遠隔地の同じ設備の受話器と通話が行われる。前述の通信処理方式の通信費は現在の長距離電話及び国際電話の通信費より大幅に低いため、将来的な発展が期待できる。一般的に、ネットのオンラインサービスを提供する会社は、様々な状況でネットワークのスイッチング装置を顧客と接続しているネットワーク通信装置の最高の通信品質の提供を確保するため、ネットワークスイッチング装置の保守を行い、ネットワークスイッチング装置の機械室に独立式の予備の発電機を設置する。停電のとき、予備の発電機で直ちに給電されるため、ネットワークスイッチング装置は正常に運転され、ネットワーク通信装置とその受話器との間のデータの送信及び交換は続行される。
【０００９】
本発明のネットワークスイッチング装置は、そのネットワークスイッチング装置の機械室に無停電サービスを提供し、ダブルツイストワイヤにより接続されているネットワーク通信装置に電源を供給する。したがって、停電のとき、顧客のネットワーク通信装置は正常に運転される。図２に示すように、本発明の一実施例によるネットワークスイッチング装置によると、ネットワークスイッチング装置本体に電源コントロール回路３０が設置されている。電源コントロール回路３０には１個以上のマイクロプロセッサ３１が設けられている。マイクロプロセッサ３１は発振回路３２と接続され、バスドライブ回路３３を介し複数のＲＳ−２３２駆動インターフェース３４と接続されている。ＲＳ−２３２駆動インターフェース３４がアナログスイッチ回路３５を介し複数のコネクティングポート３６に接続されているため、アナログスイッチ回路３５にはリレーなどの複数のアナログスイッチ及び対応する保護回路が設けられている。アナログスイッチは、対応するＲＳ−２３２駆動インターフェース３４がコネクティングポート３６と接続され、マイクロプロセッサ３１のコントロールにより接続状態が切り替えられる。コネクティングポート３６は、２×２０のピン（pin）のコネクティングポートであり、２×４のピン（pin）のＲＪ−４５コネクターが接続される。ＲＪ−４５コネクター３７に設けられているダブルツイストワイヤ３８が対応するネットワーク通信装置のコネクティングポートに接続されると、ダブルツイストワイヤを介しネットワークスイッチング装置本体の電源は接続されているネットワーク通信装置に供給される。
【００１０】
ネットワーク通信装置のコネクティングポートには特殊設計である受動素子が接続されることが必要である。受動素子が電源コントロール回路３０より送信される特殊な信号を受信すると、スタート信号が発生し、スタート信号はダブルツイストワイヤ３８及びＲＪ−４５コネクター３７を介し電源コントロール回路３０に伝送される。マイクロプロセッサ３１はスタート信号によりアナログスイッチ回路３５の関連するスイッチを駆動し、電源をオンし、電源をネットワーク通信装置に供給する。
【００１１】
ＩＥＥＥ８０２．３ａｆ標準の規定により、ＲＪ−４５コネクターのピン４、ピン５、ピン７およびピン８が給電の探知及び給電用のピンとして使用され、ピン１、ピン２、ピン３およびピン６がデータ信号の送信のピンとして使用される。図３に示すように、ネットワークスイッチング装置のコネクティングポート３６がＲＪ−４５コネクター３７及びダブルツイストワイヤ３８を順に介しネットワーク通信装置と接続されるとき、発振回路３２で所定の周波数の信号（例えば、１０Ｈｚのパルス信号）が発生する。所定の周波数の信号は、マイクロプロセッサ３１、バスドライブ回路３３、ＲＳ−２３２駆動インターフェース３４およびアナログスイッチ回路３５を順に経由し、コネクティングポート３６によりＲＪ−４５コネクター３７と対応するピン４を介し、コネクティングポート３６と接続されているネットワーク通信装置に伝送される。ネットワーク通信装置のコネクティングポートに特殊設計の受動素子４０（実施例では整流回路が使用される）が設けられているとき、受動素子４０が所定の周波数の信号を受信し、回路を介し、コネクティングポート３６が所定の周波数の信号をＲＪ−４５コネクター３７と対応するピン５を介しネットワークスイッチング装置に伝送する。
【００１２】
ネットワークスイッチング装置がネットワーク通信装置から伝送される信号を受信すると、マイクロプロセッサ３１は信号によりネットワーク通信装置がコネクティングポートを介し電気を供給される機能を有することを識別し、アナログスイッチ回路３５を駆動する。すると、関連するスイッチがスタートされ、電源がオンされ、ネットワークスイッチング装置の電源はコネクティングポート３６がＲＪ−４５コネクター３７と対応するピン４およびピン５またはピン７およびピン８を介し接続されているネットワーク通信装置に給電されるため、ネットワーク通信装置は停電のとき、外部と通話できる。
【００１３】
図３に示すように、アナログスイッチ回路３５に設けられている関連する切り替えスイッチにはリレー５１、リレー５２、リレー５３およびリレー５４が使用されている。リレー５１、リレー５２、リレー５３およびリレー５４の共用接点ＣＯＭはコネクティングポート３６のピン４およびピン５又はピン７およびピン８と接続されている。リレー５１、リレー５２、リレー５３およびリレー５４の内部には２個以上の常時オフの接点ＮＣを有し、リレーのオフの接点ＮＣはＲＳ−２３２駆動インターフェース３４及びバスドライブ回路３３を介しマイクロプロセッサ３１と接続され、発振回路３２で生じる信号はコネクティングポート３６と接続されているネットワーク通信装置に伝送される。または、ネットワーク通信装置の受動素子４０より伝送される信号が受信される。リレー５１、リレー５２、リレー５３およびリレー５４の常時オンの接点ＮOはネットワークスイッチング装置の電源端子に接続され、ネットワークスイッチング装置がネットワーク通信装置より伝送される信号を受信する。ネットワーク通信装置がコネクティングポートを介し給電を受ける機能を有すると識別されると、マイクロプロセッサ３１がリレー５１、リレー５２、リレー５３およびリレー５４を駆動する。リレー５１、リレー５２、リレー５３およびリレー５４がオンの接点ＮＯ及び共用接点ＣＯＭと接続されると、ネットワークスイッチング装置の電源はコネクティングポート３６と対応するＲＪ−４５コネクター３７のピン４およびピン５又はピン７およびピン８を介し接続されているネットワーク通信装置に供給される。
【００１４】
図３に示すように、ネットワーク通信装置のコネクティングポート３６と対応するＲＪ−４５コネクター３７のピン４およびピン７又はピン５およびピン８にリレー６１およびリレー６２が設けられている。リレー６１およびリレー６２の共用接点ＣＯＭはコネクティングポート３６のピン４およびピン５と接続され、常時オフの接点ＮＣは受動素子４０の両端に接続されている。ネットワーク通信装置で生じる所定の周波数の信号は受信され、受動素子４０で生じる信号はネットワーク通信装置に伝送される。常時オンの接点ＮOはコネクティングポート３６のピン７およびピン８に接続され、ピン７およびピン８を介し給電される電源を受信する。
【００１５】
ネットワーク通信装置のコネクティングポート３６はＲＪ−４５コネクター３７に設けられているダブルツイストワイヤ３８を介し対応するネットワーク通信装置のコネクティングポート３６に接続されているとき、ネットワークスイッチング装置のマイクロプロセッサ３１は下記のステップを行う。図４に示すように、アナログスイッチ回路３５に設けられているリレー５１、リレー５２、リレー５３およびリレー５４の駆動により、ネットワークスイッチング装置の電源はネットワーク通信装置に供給される。
【００１６】
（７０）所定の周波数の信号（例えば、１０Ｈｚのパルス信号）が発生する。リレー５１、リレー５２、リレー５３およびリレー５４が常時オフ状態（常時オフの接点及び共用接点と接続されている状態）になり、信号はコネクティングポート３６と対応するＲＪ−４５コネクター３７のピン４を介しコネクティングポート３６と接続されているネットワーク通信装置に伝送される。
【００１７】
（７１）ネットワーク通信装置の受動素子４０から送信される対応信号の受信を判断する。受動素子４０より送信される対応信号を受信しないとき、ステップ（７０）に戻り、探知作業を行う。受動素子４０より送信される対応信号を受信したとき、ステップ（７２）を行う。
【００１８】
（７２）受動素子４０から送信される信号を受信すると、信号によりネットワーク通信装置がコネクティングポートを介し給電される機能を有すると識別される。アナログスイッチ回路３５を駆動し、リレー５１、リレー５２、リレー５３およびリレー５４をスタートし、常時のオンの状態を維持（常時オンの接点及び共用接点と接続）し、ネット式交換装置の電源をＲＪ−４５コネクター３７及びダブルツイストワイヤ３８を介しネットワーク通信装置に供給する。
【００１９】
ネットワーク通信装置のリレー６１およびリレー６２は、ネットワークスイッチング装置より提供される電源でコントロールされる。ネットワークスイッチング装置より電源がネットワーク通信装置に供給されるとき、電源によりリレー６１及びリレー６２は駆動され、オフの状態から入力状態に切り替えられる。
【００２０】
ネットワーク通信装置より生じる異常な波のためにネットワークスイッチング装置の電源コントロール回路３０の内部の回路が損傷されることを防止するため、アナログスイッチ回路３５の内部のリレー５１、リレー５２、リレー５３およびリレー５４が電源コントロール回路３０と接続されているラインには対応する保護回路が増設されている。このため、電源コントロール回路３０は正常に運転される。
【図面の簡単な説明】
【図１】  従来のネットワーク通信装置のオンライン構造を示す模式図である。
【図２】  本発明の一実施例によるネットワークスイッチング装置を示す模式図である。
【図３】  本発明の一実施例によるネットワークスイッチング装置がネットワーク通信装置と接続されている状態を示す回路図である。
【図４】  本発明の一実施例によるネットワークスイッチング装置の電源の供給方法のフローチャートである。
【符号の説明】
３０    電源コントロール回路
３１    マイクロプロセッサ
３２    発振回路
３３    バスドライブ回路
３４    ＲＳ−２３２駆動インターフェース
３５    アナログスイッチ回路
３６    コネクティングポート
３７    ＲＪ−４５コネクター
３８    ダブルツイストワイヤ
【図１】
0004028976.tif 000002
【図２】
0004028976.tif 000003
【図３】
0004028976.tif 000004
【図４】
0004028976.tif 000005